(57)【要約】【課題】電子装置のデータベースの作成を簡略化することである。【解決手段】電子装置を構成する部品に付されたその部品の識別のための部品識別データである部品番号をデータ取得装置により取得し（ステップＳ２３）、取得した部品識別データを指定された装置識別データである製造番号に関連付けしてデータベースに記憶させる（ステップＳ３５）。これにより、電子装置のデータベースが作成される。【選択図】    図１４
2004157715.tif 000002
【特許請求の範囲】
【請求項１】
電子装置を構成する部品に付されたその部品の識別のための部品識別データをデータ取得装置により取得する取得ステップと、
前記取得ステップで取得した前記部品識別データを指定された前記電子装置の識別のための装置識別データに関連付けしてデータベースに記憶させる記憶ステップと、
を含む電子装置のデータベース作成方法。
【請求項２】
前記部品は、階層構造で分類可能であり、
前記記憶ステップは、前記取得ステップで取得した前記部品識別データを階層構造で前記データベースに記憶させる請求項１記載のデータベース作成方法。
【請求項３】
電子装置を構成し階層構造で分類可能な部品に付されたその部品の識別のための部品識別データをデータ取得装置により取得する第一の取得ステップと、
前記第一の取得ステップで取得した前記部品識別データを指定された上位の階層の部品の前記部品識別データに関連付けしてデータベースに記憶させる第一の記憶ステップと、
階層構造の最上位の部品に付された前記部品識別データを前記データ取得装置により取得する第二の取得ステップと、
前記第二の取得ステップで取得した前記部品識別データを指定された前記電子装置の識別のための装置識別データに関連付けして前記データベースに記憶させる第二の記憶ステップと、
を含む電子装置のデータベース作成方法。
【請求項４】
前記取得ステップは、電子装置が組み立てられる際に行なわれる請求項１，２又は３記載の電子装置のデータベース作成方法。
【請求項５】
前記部品に付された前記部品識別データは、コードシンボルであり、
前記データ取得装置は、前記コードシンボルを光学的に読み取る請求項１，２，３又は４記載の電子装置のデータベース作成方法。
【請求項６】
前記部品に付された前記部品識別データは、前記部品に取り付けられた無線タグに記憶されており、
前記データ取得装置は、前記無線タグとの無線通信により前記部品識別データを取得する請求項１，２，３，４又は５記載の電子装置のデータベース作成方法。
【請求項７】
電子装置の識別のための装置識別データと、
前記電子装置を構成し階層構造で分類可能な部品の識別のための部品識別データと、
前記部品の寿命に関する寿命データと、
を含み、
前記部品識別データをその部品識別データに対応する部品が構成する前記電子装置の前記装置識別データに関連付けして階層構造で保持し、前記寿命データをその寿命データが対応する前記部品の前記部品識別データに関連付けして保持しているデータベースのデータ構造。
【請求項８】
前記寿命データは、書き換え自在に保持されている請求項７記載のデータベースのデータ構造。
【請求項９】
前記寿命データは、前記部品の稼働状況に関する稼働状況データである請求項７又は８記載のデータベースのデータ構造。
【請求項１０】
前記寿命データは、前記部品の価値の寿命に関する価値寿命データである請求項７，８又は９記載のデータベースのデータ構造。
【発明の詳細な説明】
【０００１】
【発明の属する技術分野】
本発明は、電子装置のデータベース作成方法及びデータベースのデータ構造に関する。
【０００２】
【従来の技術】
従来より、ＰＯＳ端末、ＥＣＲ、プリンタなど様々な電子装置が製品化され広く普及している。
【０００３】
近年、環境を保護しようという声が高まっている。このような観点から、不要となった製品をリサイクル（資源として再利用）したり、不要とされたがまだ使用可能な装置や部品をリユース（再使用）することが望ましい。そして、このように製品のリサイクルやリユースを行なうことが、その製品を製造販売した製造メーカに求められるようになってきている。
【０００４】
製造メーカにとって、製造販売した製品のリサイクル／リユースを行なうには、それらの製品に関するデータ、部品構成、稼働状況などを把握することによって効率的に行なうことができる。
【０００５】
ここで、製品のリサイクルデータ（部品番号、部品の寿命、部品の材料、稼働記録など）をデータベースで管理するという提案が従来よりなされており、この提案では、データベースのデータに基づいて製品や部品をリサイクルするものやリユースするものに分別することができるとされている（例えば、特許文献１）。
【０００６】
【特許文献１】
特開２００２−１４３８２６公報
【０００７】
【発明が解決しようとする課題】
ところで、データベースを記憶するサーバを用いてのデータベースの作成方法としては、例えば、まず、入力するデータのリストを作成し、そのリストに記載されたデータをオペレータがキーボードを操作してキー入力するという方法がある。しかしながら、このようなデータベースの作成方法では、大量のデータを一度に扱い、キーボード入力するので、オペレータにとって負荷が大きい。
【０００８】
本発明の目的は、電子装置のデータベースの作成を簡略化することである。
【０００９】
【課題を解決するための手段】
本発明は、電子装置（例えば、ＰＯＳ端末）を構成する部品に付されたその部品の識別のための部品識別データをデータ取得装置により取得する取得ステップと、前記取得ステップで取得した前記部品識別データを指定された前記装置識別データに関連付けしてデータベースに記憶させる記憶ステップと、を含む。
【００１０】
したがって、データ取得装置により取得された部品識別データが、指定された装置識別データに関連付けされてデータベースに記憶され、データベースが作成される。
【００１１】
【発明の実施の形態】
［第一の実施の形態］
本発明の第一の実施の形態を図１ないし図１４に基づいて説明する。
【００１２】
［ＰＯＳ端末管理システムの概略］
本実施の形態のＰＯＳ端末管理システムは、概略的には、電子装置であるＰＯＳ端末をリサイクル、リユース又は廃棄するかの判断などのために、ＰＯＳ端末製造メーカが製造販売した電子機器であるＰＯＳ（Ｐｏｉｎｔ  ｏｆ  Ｓａｌｅｓ：販売時点管理）端末に関するデータをＰＯＳ端末製造メーカが管理することを可能とするものである。
【００１３】
図１は本実施の形態のＰＯＳ端末管理システムを概略的に示すブロック図である。図１に示すように、本実施の形態のＰＯＳ端末管理システム１は、ＰＯＳ端末製造メーカに設置されＰＯＳ端末管理データベース１０１（図５参照）を有するデータベースサーバ２０１を備えている。このデータベースサーバ２０１は、コンビニエンスストアなどの店舗に設けられたＰＯＳシステム３０１に例えば専用回線などの通信ネットワーク４０１を介して接続されている。データベースサーバ２０１には、ＰＯＳ端末製造メーカの工場に設置された複数のデータ取得装置５０１がＬＡＮ（Ｌｏｃａｌ  Ａｒｅａ  Ｎｅｔｗｏｒｋ）６０１により接続されている。ＰＯＳシステム３０１は、ＰＯＳ端末製造メーカが製造販売しコンビニエンスストアのレジカウンターに設置された複数台のＰＯＳ端末３０２と、コンビニエンスストアのバックヤードに設置されそれらのＰＯＳ端末３０２をＬＡＮ３０３によって接続して集中管理するストアコンピュータ３０４とで構成されている。
【００１４】
そして、ＰＯＳ端末管理システム１では、ＰＯＳ端末製造メーカの工場でＰＯＳ端末３０２を組み立てる際に、ＰＯＳ端末管理データベース１０１を作成し、店舗に出荷されたＰＯＳ端末３０２の稼働状況をＰＯＳシステム３０１からデータベースサーバ２０１に送信し、そのデータを受信したデータベースサーバ２０１において、ＰＯＳ端末管理データベース１０１を随時更新する。これにより、そのＰＯＳ端末管理データベース１０１のデータをＰＯＳ端末３０２の管理に提供することを可能とする。
【００１５】
［ＰＯＳ端末管理システム１の各部］
続いて、ＰＯＳ端末管理システム１を構成する各部について説明する。
【００１６】
まず、ＰＯＳシステム３０１を構成するＰＯＳ端末３０２について説明する。ここで、図２はＰＯＳ端末３０２を概略的に示すブロック図、図３は稼働状況データファイル３２１を示す模式図である。ＰＯＳ端末３０２は、店舗の精算場所に配設されてキャッシャが売上処理を行うためのものであり、図示しない電源により電力が供給され、図２に示すような構成とされている。
【００１７】
ＰＯＳ端末３０２は、図２に示すように、制御ブロック３０５を備えている。制御ブロック３０５は、ＣＰＵ（Ｃｅｎｔｒａｌ  Ｐｒｏｃｅｓｓｉｎｇ  Ｕｎｉｔ）３０６、制御プログラムを格納するＲＯＭ（Ｒｅａｄ  Ｏｎｌｙ  Ｍｅｍｏｒｙ）３０７、ＲＡＭ（Ｒａｎｄｏｍ  Ａｃｃｅｓｓ  Ｍｅｍｏｒｙ）３０８などを有する制御部であるＰＣボード部３０９と、このＰＣボード部にバスライン３１０により接続されＨＤＤ（Ｈａｒｄ  Ｄｉｓｋ  Ｄｒｉｖｅ）などで構成されるメモリ部３１１とを有し、ＰＯＳ端末３０２の各部の駆動制御や各種演算などを行なう。この制御ブロック３０５には、ＬＡＮ３０３とのデータの送受信を行なう通信インターフェース３１２や、プリンタブロック３１３、表示ブロック３１４、バーコードスキャナ３１５、キーボード３１６などがバスライン３１０を介して接続されている。
【００１８】
プリンタブロック３１３は、パルス電流により駆動されるヘッド部３１７、プラテン（図示せず）を有するガイドブロック部３１８、プラテンを回転駆動するモータ部３１９などから構成されている。このプリンタブロック３１３は、売上処理に伴い、取引単位で後述するようなレシートを発行するとともに、並行してジャーナル用紙への印字を行うものである。
【００１９】
表示ブロック３１４は、液晶部３２０などを有しており、この液晶部３２０に所定事項を表示する。
【００２０】
バーコードスキャナ３１５は、バーコードや２次元コードなどのコードシンボルを光学的に読み取る。
【００２１】
このようなＰＯＳ端末３０２のメモリ部３１１には、ＰＣボード部３０９のＣＰＵ３０６を動作させる制御プログラムの他、当該ＰＯＳ端末３０２の各部の稼働状況データを記憶した図３に示すような稼働状況データファイル３２１が格納されている。ＰＯＳ端末３０２の稼働状況データは、ＰＣボード部３０９の通電時間、ヘッド部３１７へ供給された電流のパルス数、ヘッド部３１７の走行距離、モータ部３１９の通電時間、ガイドブロック部３１８のプラテンの走行距離、表示ブロック３１４の液晶部３２０の通電時間などである。
【００２２】
次に、ストアコンピュータ３０４について説明する。ここで、図４はストアコンピュータ３０４を概略的に示すブロック図である。ストアコンピュータ３０４は、ＰＯＳシステム３０１全体の制御を受け持ち、その電装系は、例えば、図４に示すような構成とされている。ストアコンピュータ３０４は、ＣＰＵ３２２、ＲＯＭ３２３、ＲＡＭ３２４などで構成される制御部３２５と、ＨＤＤなどで構成されるメモリ部３２６とを有し、バスライン３２７を介して接続された通信インターフェース３２８から、ＬＡＮ３０３を介して複数台のＰＯＳ端末３０２との間でデータの送受信を実行し得るように構成されている。ここで、通信インターフェース３２８は、通信ネットワーク４０１を介してのデータベースサーバ２０１とのデータの送受信も行う。さらに、制御部３２５には、キーボード３２９、表示ブロック３３０及びプリンタブロック３３１が接続されている。メモリ部３２６には、制御部３２５のＣＰＵ３２２を動作させる制御プログラムの他、商品マスタファイル、店舗売上ファイルなどが格納されている。
【００２３】
以上のようなＰＯＳ端末３０２とストアコンピュータ３０４とで構成されるＰＯＳシステム３０１の売上処理の際の動作について簡単に説明する。例えば商品に付された商品コードがＰＯＳ端末３０２のバーコードスキャナ３１５によって読み取られると、ＰＯＳ端末３０２は読み取った商品コードをストアコンピュータ３０４に問い合わせる。そして、商品コードの問い合わせがあったストアコンピュータ３０４側においては、ＰＯＳ端末３０２からの問い合わせにより商品マスタファイルを検索し、該当する商品コードに対応した商品名や単価などを読み出してＰＯＳ端末３０２へ送信する。また、ＰＯＳ端末３０２は、ストアコンピュータ３０４からの商品名や単価などを受信し、問い合わせした商品コード及び受信した商品名や単価などに基づく売上登録処理や表示ブロック３１４の液晶部３２０への表示、またプリンタブロック３１３により印字出力を行い、さらに売上登録処理した売上登録データをストアコンピュータ３０４へ送信する。さらに、ＰＯＳ端末３０２から売上登録処理した売上登録データを送信されたストアコンピュータ３０４側では、ＰＯＳ端末３０２からの売上登録データを店舗売上ファイルに累計する。
【００２４】
このとき、稼働状況データファイル３２１に記憶されているＰＣボード部３０９の通電時間、ヘッド部３１７へ供給された電流のパルス数、ヘッド部３１７の走行距離、モータ部３１９の通電時間、ガイドブロック部３１８のプラテンの走行距離、表示ブロック３１４の液晶部３２０の通電時間などが稼働状況に応じて更新される。
【００２５】
次に、データベースサーバ２０１について説明する。ここで、図５はデータベースサーバ２０１を概略的に示すブロック図である。図５に示すように、データベースサーバ２０１には、ＣＰＵ２０２、ＲＯＭ２０３、ＲＡＭ２０４などで構成される制御部２０５と、ＨＤＤなどで構成されるメモリ部２０６とを有し、バスライン２０７を介して接続された通信インターフェース２０８から、ＬＡＮ６０１を介して複数台のデータ取得装置５０１との間でデータの送受信を実行し得るように構成されている。ここで、通信インターフェース２０８は、通信ネットワーク４０１を介してのストアコンピュータ３０４とのデータの送受信も行なう。さらに、制御部２０５には、キーボード２０９、表示ブロック２１０及びプリンタブロック２１１が接続されている。メモリ部２０６には、制御部２０５のＣＰＵ２０２を動作させる制御プログラムの他、ＰＯＳ端末管理データベース１０１が格納されている。
【００２６】
ここで、図６はＰＯＳ端末管理データベース１０１の階層構造を概略的に示す模式図である。ＰＯＳ端末管理データベース１０１には、概略的には、図６に示すように、ＰＯＳ端末３０２毎にＰＯＳ端末３０２を構成する部品が階層構造で記憶されており、それらのＰＯＳ端末３０２及び部品に関するデータがそれぞれのＰＯＳ端末３０２及び部品に関連付けされて記憶されている。そして、ＰＯＳ端末管理データベース１０１のデータは、書き換え自在に保持されている。ここで、ＰＯＳ端末３０２は、ＰＯＳ端末３０２を識別するための装置識別データである製造番号で扱われ、ＰＯＳ端末３０２を構成する部品は、部品を識別するための部品識別データである部品番号で扱われる。
【００２７】
ここで、ＰＯＳ端末３０２の構成部品の階層構造について説明する。ＰＯＳ端末３０２の各部品は、階層構造で分類可能である、階層レベル上位の部品から階層レベル下位の部品に分類される。そして、ＰＯＳ端末３０２は、階層レベル最上位である階層レベル１の部品（例えば、制御ブロック３０５、プリンタブロック３１３、表示ブロック３１４など）の集合体とされている。この階層レベル１の部品のうちの例えばプリンブロックは、階層レベル２の部品（ヘッド部３１７、モータ部３１９、ガイドブロック部３１８など）の集合体とされている。このようにＰＯＳ端末３０２は、部品が階層構造で構成されている。そして、ＰＯＳ端末管理データベース１０１では、このような階層構造でＰＯＳ端末３０２の各部品の部品番号が関連付けされてＰＯＳ端末３０２の製造番号毎に記憶されている。
【００２８】
次に、ＰＯＳ端末管理データベース１０１の具体的な構造を説明する。ここで、図７はＰＯＳ端末管理データベース１０１の端末管理テーブルを概略的に示す模式図、図８は制御ブロック３０５に関する部品管理テーブルを概略的に示す模式図、図９はプリンタブロック３１３に関する部品管理テーブルを概略的に示す模式図、図１０は表示ブロック３１４に関する部品管理テーブルを概略的に示す模式図である。
【００２９】
このＰＯＳ端末管理データベース１０１には、図７に示すような端末管理テーブル１０２と、図８ないし図１０に示すような部品管理テーブル１０３（１０３ａ，１０３ｂ，１０３ｃ）とが設けられている。
【００３０】
端末管理テーブル１０２は、ＰＯＳ端末３０２に関するデータを記憶するテーブルである。端末管理テーブル１０２には、ＰＯＳ端末３０２の製造番号を記憶する製造番号エリア１０４が設けられている。そして、端末管理テーブル１０２には、ＰＯＳ端末３０２の製品名を記憶する製品名エリア１０５、寿命データである価値寿命データとしてＰＯＳ端末３０２の意匠のトレンドを記憶する意匠エリア１０６、ＰＯＳ端末３０２の製造日を記憶する製造日エリア１０７、ＰＯＳ端末３０２の販売形態（レンタル、ユース、販売など）を記憶する販売形態エリア１０８、ＰＯＳ端末３０２の販売日やレンタル・ユース開始日などを記憶する販売日，レンタル・ユース開始日エリア１０９、レンタルやユースの終了日を記憶するレンタル・ユース終了日エリア１１０、レンタル先・ユース先・販売先を記憶するレンタル・リース・販売先エリア１１１、階層レベル１の部品の部品名称に対応付けてその部品の部品番号を記憶する部品番号エリア１１２が、製造番号エリア１０４毎に設けられており、それらの各エリア１０５，１０６，１０７，１０８，１０９，１１０，１１１，１１２に記憶されるデータは、それらのエリアに対応する製造番号エリア１０４に記憶されているデータに対応付けされる。
【００３１】
ここで、価値寿命データであるＰＯＳ端末３０２の意匠のトレンドは、数値で表され、例えば、トレンドとして最新のものを「１」、一世代前のものを「２」、二世代前のものを「３」、三世代前のものを「４」というように表される。
【００３２】
部品管理テーブル１０３（１０３ａ，１０３ｂ，１０３ｃ）は、各部品に関するデータを記憶するテーブルである。図２ないし図４に示すように、各部品管理テーブル１０３（１０３ａ，１０３ｂ，１０３ｃ）には、制御ブロック３０５、プリンタブロック３１３、表示ブロック３１４などの部品（以下、親部品という）の部品名称を記憶する親部品名称エリア１１３、それらの親部品の部品番号を記憶する親部品番号エリア１１４が設けられている。
【００３３】
そして、各部品管理テーブル１０３（１０３ａ，１０３ｂ，１０３ｃ）には、親部品番号エリア１１４に記憶されている部品番号に対応する親部品を構成しそれらの親部品よりも階層レベルが１つ低い部品（以降、子部品という）の部品データを記憶する子部品データエリア１１５が設けられている。
【００３４】
子部品データエリア１１５には、子部品名称を記憶する子部品名称エリア１１６、親部品番号エリア１１４に記憶されている親部品番号に関連付けして子部品の部品番号を記憶する子部品番号エリア１１７が設けられている。そして、子部品データエリア１１５には、子部品番号エリア１１７に記憶される子部品番号に対応する部品の寿命データである稼働状況に関する稼働状況データを記憶する稼働状況エリア１１８、子部品番号エリア１１７に記憶される子部品番号に対応する部品の材質を記憶する材質エリア１１９が、子部品番号エリア１１７毎に設けられており、それらの各エリア１１８，１１９に記憶されるデータは、それらのエリア１１８，１１９に対応する子部品番号エリア１１７に記憶されている子部品番号に対応付けされる。
【００３５】
また、部品管理テーブル１０３には、親部品番号毎や子部品番号毎に寿命データである価値寿命データとして部品の性能を記憶する性能エリア１２０が設けられている。例えば、図８及び図１０に示すように、制御ブロック３０５に関する部品管理テーブル１０３ａや表示ブロック３１４に関する部品管理テーブル１０３ｃには、子部品番号毎に性能エリア１２０が設けられており、この性能エリア１２０に記憶されたデータは、性能エリア１２０に対応する子部品番号エリア１１７に記憶されている子部品番号データに対応付けされる。また、図９に示すように、プリンタブロック３１３に関する部品管理テーブル１０３ｂには、親部品番号毎に性能エリア１２０が設けられており、この性能エリア１２０に記憶されたデータは、性能エリア１２０に対応する親部品番号エリア１１４に記憶されている親部品番号データに対応付けされる。
【００３６】
ここで、価値寿命データであるＰＯＳ端末３０２の部品の性能は、意匠のトレンドと同様に数値で表され、例えば、性能として最新のものを「１」、一世代前のものを「２」、二世代前のものを「３」、三世代前のものを「４」というように表される。部品の性能の内容としては、例えば、ＰＣボード部３０９の場合は、ＣＰＵ３０６のクロック周波数を挙げることができ、プリンタブロック３１３の場合は、印字速度を挙げることができる。
【００３７】
また、前述した制御ブロック３０５を構成するＰＣボード部３０９の稼働状況データは、例えばＰＣボード部３０９の通電時間である。プリンタブロック３１３を構成するヘッド部３１７の稼働状況データは、例えばヘッド部３１７に供給された電流のパルス数及びヘッド部３１７の走行距離である。同じくプリンタブロック３１３を構成するモータ部３１９の稼働状況データは、例えば、モータ部３１９の通電時間である。同じくプリンタブロック３１３を構成するガイドブロック部３１８の稼働状況データは、例えばガイドブロックを構成するプラテンの走行距離である。表示ブロック３１４を構成する液晶部３２０の稼働状況データは、例えば液晶部３２０の通電時間である。
【００３８】
なお、ＰＯＳ端末３０２を構成する階層１の部品がブロック部品ではなく単一部品の場合には、部品管理テーブル１０３の構成は、子部品データエリア１１５のみを有する構成となる。
【００３９】
加えて、メモリ部２０６には、番号識別ファイル（図示せず）が設けられている。製造番号・部品番号には、ＰＯＳ端末３０２や各部品の区別を示すデータが含まれており、そのデータに関する情報が、番号識別ファイルに記憶されている。
【００４０】
次に、ＰＯＳ端末製造メーカに設置されているデータ取得装置５０１について説明する。ここで、図１１はデータ取得装置５０１を概略的に示すブロック図である。データ取得装置５０１は、後述するように、ＰＯＳ端末製造メーカの工場でのＰＯＳ端末３０２の組み立ての際に、バーコードなどのコードシンボルで表示されたＰＯＳ端末３０２の製造番号や部品の部品番号を読み取るものであり、その電装系は、例えば、図１１に示すような構成とされている。
【００４１】
データ取得装置５０１は、図１１に示すように、ＣＰＵ、ＲＯＭ、ＲＡＭなどで構成される制御部５０２と、ＨＤＤなどで構成されるメモリ部５０３とを有し、バスライン５０４を介して接続された通信インターフェース５０５から、ＬＡＮ６０１を介してデータベースサーバ２０１との間でデータの送受信を実行し得るように構成されている。また、制御部５０２にはバスライン５０４を介して、キーボード５０６、表示ブロック５０７、プリンタブロック５０８及びコードシンボルを光学的に読み取るスキャナ５０９が接続されている。メモリ部５０３には、制御部５０２のＣＰＵを動作させる制御プログラムなどが格納されている。
【００４２】
次に、ＰＯＳ端末管理システム１のＰＯＳ端末管理データベース１０１のデータの更新処理の概略を説明する。
【００４３】
まず、ＰＯＳ端末管理データベース１０１の稼働状況データの更新について図１２及び図１３に示すフローチャートに基づいて説明する。図１２に示すように、ＰＯＳ端末３０２のＣＰＵ３０６は、所定時刻（例えば、予め設定した夜間・早朝などの営業時間外の時刻）になったと判断した場合には（ステップＳ１のＹ）、メモリ部３１１の稼働状況データファイル３２１に記憶されているＰＯＳ端末３０２の稼働状況データをデータベースサーバ２０１に対して送信する（ステップＳ２）。
【００４４】
一方、データベースサーバ２０１のＣＰＵ２０２は、図１３に示すように、ＰＯＳシステム３０１（ＰＯＳ端末３０２）から送信されたＰＯＳ端末３０２の稼働状況のデータを受信した場合には（ステップＳ１１のＹ）、ＰＯＳ端末管理データベース１０１の稼働状況エリア１１８のデータをステップＳ１１で受信したデータに更新して記憶する（ステップＳ１２）。
【００４５】
なお、本実施の形態においては、データベースサーバ２０１とのデータの送受信をストアコンピュータ３０４において行うようにしたが、これに限るものではなく、ＰＯＳ端末３０２がデータベースサーバ２０１とのデータの送受信を直接行うようにしても良い。
【００４６】
次に、価値寿命データ（意匠のトレンド、部品の性能）の更新について説明する。新しい意匠や新しい部品が作られ、意匠のトレンドや部品の性能の世代が更新された場合には、ＰＯＳ端末管理データベース１０１の価値寿命データは、オペレータのキーボード２０９操作によるキーボード２０９入力などにより書き換えられる。例えば、ＰＯＳ端末３０２の意匠が最新から一世代前になった場合には、意匠エリア１０６のデータが「１」から「２」に書き換えられ、部品の性能が最新から一世代前になった場合には、性能エリア１２０のデータが「１」から「２」に書き換えられる。
【００４７】
［ＰＯＳ端末管理データベース１０１の作成方法］
次に、ＰＯＳ端末管理データベース１０１の作成方法について説明する。ＰＯＳ端末管理データベース１０１は、ＰＯＳ端末３０２のＰＯＳ端末製造メーカの工場において、ＰＯＳ端末３０２を組み立てる際に作成される。ここで、工場でのＰＯＳ端末３０２の組み立て手順の概略を説明する。ＰＯＳ端末３０２の組み立ては、ＰＯＳ端末３０２を構成する部品のうち階層レベルが下位の部品から上位の部品の順に組み立てられていく。具体的には、まず、ブロック組み立てラインで制御ブロック３０５やプリンタブロック３１３などのブロックを組み立てる。その後、組み立て最終ラインで階層レベル１の部品を組み上げることによりＰＯＳ端末３０２の組み立てが行なわれる。
【００４８】
ＰＯＳ端末管理データベース１０１の作成では、予めＰＯＳ端末管理データベース１０１で管理記憶する全ての部品に対して部品番号をコードシンボル化してそのコードシンボルを付しておく。コードシンボルとしては、バーコードや２次元コードなどを例示することができる。バーコードを部品に付する方法としては、シール用紙にバーコードをプリントしておき、そのシール用紙を各部品に貼り付けたり、部品自体にバーコードを直接プリントしたりすることを例示することができる。複数の部品の集合体であるブロックには、そのブロックのベースとなる部品（以降、ベース部という）例えばフレームなどにブロックの部品番号のコードシンボルを付しておく。また、ＰＯＳ端末３０２の製造番号もコードシンボル化してＰＯＳ端末３０２のベース部に付しておく。なお、部品番号は、コードシンボル化することに限るものではなく、例えば、部品番号自体を各部品に付しても良い。この場合には、データ取得装置としてＯＣＲ（Ｏｐｔｉｃａｌ  ｃｈａｒａｃｔｅｒ  ｒｅａｄｅｒ：光学式文字読み取り装置）を用いれば良い。
【００４９】
そして、ＰＯＳ端末３０２の構成部品を組み上げる順に、つまり、ＰＯＳ端末３０２を構成する部品のうち階層レベルが下位の部品から上位の部品の順にＰＯＳ端末管理データベース１０１に登録していく。まず、ブロック組み立てラインでのブロックの組み立ての際に、各ブロック毎にＰＯＳ端末管理データベース１０１における部品管理テーブル１０３を作成し、その後、組み立て最終ラインでのＰＯＳ端末３０２の階層レベル１の部品（制御ブロック３０５、プリンタブロック３１３、表示ブロック３１４など）の組み上げの際に、端末管理テーブル１０２を作成する。このときのデータ取得装置５０１のＣＰＵ及びデータベースサーバ２０１のＣＰＵ２０２が行なう処理の流れを図１４に示すフローチャートに基づいて製造メーカのオペレータの操作手順とともに説明する。
【００５０】
まず、部品管理テーブル作成処理についてプリンタブロック３１３を例に説明する。データ取得装置５０１は、スキャナ５０９による番号データ（部品番号や製造番号）の読み取りまで待機する（ステップＳ２１）。
【００５１】
オペレータは、プリンタブロック３１３のベース部に予め貼り付けられたプリンタブロック３１３の部品番号のコードシンボルに対して、データ取得装置５０１のスキャナ５０９による読み取り操作を行なう。
【００５２】
オペレータの操作によってスキャナ５０９により番号データの読み取りが行なわれた場合には（ステップＳ２１のＹ）、読み取った番号データ（この場合にはプリンタブロック３１３の部品番号）をデータベースサーバ２０１へ送信する（ステップＳ２２）。
【００５３】
一方、データベースサーバ２０１では、データ取得装置５０１からの番号データを受信した場合には（ステップＳ３１のＹ）、受信した番号データに基づいて作成するテーブルを決定する（ステップＳ３２）。このテーブルの決定は、受信した番号データをメモリ部２０６に記憶されている番号識別ファイルに照合することにより行なわれる。この場合、受信した部品データはプリンタブロック３１３の部品番号であるので、作成するテーブルはプリンタブロック３１３の部品管理テーブル１０３ｂであると決定（指定）される。
【００５４】
ステップＳ３２において作成するテーブルを決定した後、その作成を決定したテーブルの親部品番号エリア１１４又は製造番号エリア１０４にステップＳ３１で受信した番号データを記憶する（ステップＳ３３）。ここで、テーブルが部品管理テーブル１０３である場合には、番号データを親部品番号エリア１１４に記憶し、テーブルが端末管理テーブル１０２である場合には、番号データを製造番号エリア１０４に記憶する。この場合には、プリンタブロック３１３の部品管理テーブル１０３ｂにステップＳ３１で受信したプリンタブロック３１３の部品番号を記憶する。
【００５５】
その後、データベースサーバ２０１は、次の番号データの受信まで待機する（ステップＳ３４）。
【００５６】
データ取得装置５０１は、ステップＳ２２において番号データをデータベースサーバ２０１へ送信した後、スキャナ５０９による番号データの読み取りまで待機する（ステップＳ２３）。
【００５７】
オペレータは、ベース部にヘッド部３１７、モータ部３１９、ガイドブロック部３１８などを組み付けてプリンタブロック３１３を組み立てる際に、それらの各部品に付された各部品の部品番号のコードシンボルに対してスキャナ５０９による読み取り操作を行なう。
【００５８】
オペレータの操作によってスキャナ５０９により番号データの読み取りが行なわれた場合には（ステップＳ２３のＹ、取得ステップ、第一の取得ステップ）、読み取った番号データ（この場合にはプリンタブロック３１３の子部品の部品番号）をデータベースサーバ２０１へ送信する（ステップＳ２４）。
【００５９】
一方、データベースサーバ２０１では、データ取得装置５０１から番号データを受信した場合には（ステップＳ３４のＹ）、受信した番号データをステップＳ３２で指定したテーブルの子部品番号エリア１１７又は部品番号エリア１１２に記憶する（ステップＳ３５、記憶ステップ、第一の記憶ステップ）。ここで、テーブルが部品管理テーブル１０３である場合には、番号データを子部品番号エリア１１７に記憶し、テーブルが端末管理テーブル１０２である場合には、番号データを部品番号エリア１１２に記憶する。そして、部品管理テーブル１０３の子部品番号エリア１１７に番号データを記憶する場合には、その番号データを親部品番号エリア１１４に記憶されている番号データに関連付けし、端末管理テーブル１０２の部品番号エリア１１２に番号データを記憶する場合には、その番号データを製造番号エリア１０４に記憶されている番号データに関連付けする。この場合には、ステップＳ３４で受信したプリンタブロック３１３の子部品の部品番号をプリンタブロック３１３の部品管理テーブル１０３ｂの子部品番号エリア１１７に記憶し、その部品番号を親部品番号エリア１１４に記憶されているプリンタブロック３１３の部品番号に関連付けする。
【００６０】
このようなステップＳ２３、ステップＳ２４、ステップＳ３４、ステップＳ３５の処理が、ブロックを構成する各部品のコードシンボルに対するオペレータによるスキャナ５０９での読み取り操作毎に行なわれる。
【００６１】
データ取得装置５０１は、ステップＳ２４において番号データをデータベースサーバ２０１へ送信した後、オペレータによるキーボード５０６の操作などによる終了宣言の入力に待機する（ステップＳ２５）。終了宣言が入力されたと判断した場合には（ステップＳ２５のＹ）、終了信号をデータベースサーバ２０１に送信し（ステップＳ２６）、処理を終了する。
【００６２】
一方、データベースサーバ２０１では、データ取得装置５０１から終了信号を受信した場合には（ステップＳ３６のＹ）、処理を終了する。
【００６３】
以上の処理により部品管理テーブル１０３が作成される。
【００６４】
次に、端末管理テーブル作成処理について説明する。この場合も、まず、データ取得装置５０１は、スキャナ５０９による番号データの読み取りまで待機する（ステップＳ２１）。
【００６５】
オペレータは、ＰＯＳ端末３０２のベース部に予め貼り付けられたＰＯＳ端末３０２の製造番号のコードシンボルに対してスキャナ５０９による読み取り操作を行なう。
【００６６】
オペレータの操作によってスキャナ５０９により番号データの読み取りが行なわれた場合には（ステップＳ２１のＹ）、読み取った番号データ（この場合にはＰＯＳ端末３０２の製造番号）をデータベースサーバ２０１へ送信する（ステップＳ２２）。
【００６７】
一方、データベースサーバ２０１では、データ取得装置５０１から番号データを受信した場合には（ステップＳ３１のＹ）、受信した番号データに基づいて作成するテーブルを決定する（ステップＳ３２）。この場合、受信した部品データはＰＯＳ端末３０２の製造番号であるので、作成するテーブルはＰＯＳ端末の３０２の端末管理テーブル１０２であると決定（指定）される。
【００６８】
そした、ステップＳ３２において作成するテーブルを決定した後、その作成を決定したテーブルの親部品番号エリア１１４にステップＳ３１で受信したＰＯＳ端末３０２の製造番号を記憶する（ステップＳ３３）。
【００６９】
データ取得装置５０１は、ステップＳ２２において番号データをデータベースサーバ２０１へ送信した後、スキャナ５０９による番号データの読み取りまで待機する（ステップＳ２３）。
【００７０】
オペレータは、ベース部に、制御ブロック３０５、プリンタブロック３１３、表示ブロック３１４などの階層レベル１の部品を組み付けてＰＯＳ端末３０２を組み立てる際に、それらの各部品に付された各部品の部品番号のコードシンボルに対してスキャナ５０９による読み取り操作を行なう。
【００７１】
データ取得装置５０１は、スキャナ５０９により部品番号の読み取りが行なわれた場合には（ステップＳ２３のＹ、取得ステップ、第二の取得ステップ）、読み取った部品番号をデータベースサーバ２０１へ送信する（ステップＳ２４）。
【００７２】
一方、データベースサーバ２０１では、データ取得装置５０１から部品番号を受信した場合には（ステップＳ３４のＹ）、受信した部品番号をステップＳ３２で指定した端末管理テーブルの製造番号エリア１０４に記憶されている製造番号に関連付けして部品番号エリア１１２に記憶する（ステップＳ３５、記憶ステップ、第二の記憶ステップ）。
【００７３】
このようなステップＳ２３、ステップＳ２４、ステップＳ３４、ステップＳ３５の処理が、ＰＯＳ端末３０２を構成する階層レベル１の部品のコードシンボルに対するオペレータによるスキャナ５０９での読み取り操作毎に行なわれる。
【００７４】
その後、データ取得装置５０１では、ステップＳ２５及びステップＳ２６の処理がなされ、データベースサーバ２０１では、ステップＳ３６の処理がなされる。
【００７５】
以上の処理により端末管理テーブル１０２が作成される。
【００７６】
これらの処理により、部品番号がＰＯＳ端末の製造番号に関連付けされて階層構造で記憶され、ＰＯＳ端末管理データベース１０１が作成される。以上のような処理を製造するＰＯＳ端末３０２毎に行なう。
【００７７】
以上説明したように、本実施の形態では、ＰＯＳ端末３０２を構成する部品に付されたその部品の識別のための部品番号をデータ取得装置５０１により読み取り、その読み取った部品番号が指定されたＰＯＳ端末の製造番号に関連付けされてＰＯＳ端末管理データベース１０１に記憶されＰＯＳ端末管理データベース１０１が作成されるので、データベースの作成を簡略化することができる。
【００７８】
そして、ＰＯＳ端末３０２のＰＯＳ端末製造メーカは、例えばレンタル期限やユース期限が切れて回収したＰＯＳ端末３０２を、リサイクル、リユース又は廃棄するのかを、このようなＰＯＳ端末管理データベース１０１を参照することにより簡単に判断することができる。
【００７９】
また、本実施の形態においては、電子装置であるＰＯＳ端末３０２を構成し階層構造で分類可能な部品に付されたその部品の識別のための部品識別データである部品番号をデータ取得装置５０１により取得する第一の取得ステップと、第一の取得ステップで取得した部品番号を指定された上位の階層の部品の部品番号に関連付けしてデータベースであるＰＯＳ端末管理データベース１０１に記憶させる第一の記憶ステップと、階層構造の最上位の部品に付された部品番号をデータ取得装置５０１により取得する第二の取得ステップと、第二の取得ステップで取得した部品番号を指定されたＰＯＳ端末の識別のための装置識別データである製造番号に関連付けしてＰＯＳ端末管理データベース１０１に記憶させる第二の記憶ステップと、を含むことにより、部品番号が製造番号に関連付けされて階層構造でＰＯＳ端末管理データベース１０１に記憶されるので、部品番号を階層構造で管理することができ、ＰＯＳ端末管理データベース１０１を使い易くすることができる。
【００８０】
また、本実施の形態においては、取得ステップは、電子装置であるＰＯＳ端末３０２が組み立てられる際に行なわれることにより、ＰＯＳ端末３０２の組み立ての際にＰＯＳ端末管理データベース１０１を作成することができる。
【００８１】
また、本実施の形態においては、部品に付された部品識別データである部品番号データは、コードシンボルであり、データ取得装置５０１は、コードシンボルを光学的に読み取ることにより、ＰＯＳ端末管理データベース１０１への製造番号や部品番号の入力作業を簡略化することができる。
【００８２】
また、本実施の形態のデータベースであるＰＯＳ端末管理データベース１０１のデータ構造においては、電子装置であるＰＯＳ端末３０２の識別のための装置識別データである製造番号データと、ＰＯＳ端末３０２を構成する部品の識別のための部品識別データである部品番号データと、部品の寿命に関する寿命データと、を含み、部品番号データをその部品番号データに対応する部品が構成するＰＯＳ端末３０２の製造番号データに関連付けして階層構造で保持し、寿命データをその寿命データが対応する部品の部品番号データに関連付けして保持していることにより、部品番号を階層構造で管理することができ、ＰＯＳ端末管理データベース１０１を使い易くすることができる。
【００８３】
また、本実施の形態のＰＯＳ端末管理データベース１０１のデータ構造においては、寿命データは、書き換え自在に保持されていることにより、寿命データを書き換えることができる。
【００８４】
また、本実施の形態のＰＯＳ端末管理データベース１０１のデータ構造においては、寿命データは、部品の稼働状況に関する稼働状況データ（例えば、ＰＣボード部３０９の通電時間、ヘッド部３１７に供給された電流のパルス数、ヘッド部３１７の走行距離、モータ部３１９の通電時間、ガイドブロックを構成するプラテンの走行距離、液晶部３２０の通電時間など）であることにより、部品の稼働状況に関するデータをＰＯＳ端末管理データベース１０１により管理することができる。
【００８５】
また、本実施の形態のＰＯＳ端末管理データベース１０１のデータ構造においては、寿命データは、部品の価値の寿命に関する価値寿命データ（例えば、ＣＰＵ３０６のクロック周波数、そのクロック周波数での価値寿命など）であることにより、部品の価値寿命に関するデータをＰＯＳ端末管理データベース１０１により管理することができる。
【００８６】
［第二の実施の形態］
次に、本発明の第二の実施の形態を図１５に基づいて説明する。なお、上述した実施の形態と同じ部分は同一符号で示し説明も省略する（以下の実施の形態でも同じ）。図１５は本実施の形態のデータ取得装置を概略的に示すブロック図である。
【００８７】
本実施の形態は、第一の実施の形態に対してＰＯＳ端末管理データベース１０１の作成方法でのデータの取得方法及びデータ取得装置５５１が異なる。本実施の形態では、ＰＯＳ端末３０２及び各部品に対して製造番号及び部品番号を付する手段として、ＰＯＳ端末３０２及び各部品に非接触読取方式の無線タグ（図示せず）を取り付けている。これらの無線タグには、それらの無線タグが取り付けられているＰＯＳ端末３０２の製造番号又は部品の部品番号が記憶されている。
【００８８】
ここで、無線タグとしては、静電結合方式、電磁結合方式、電磁波誘導方式、マイクロ波方式など、いずれの方式であってもよい。
【００８９】
本実施の形態のデータ取得装置５５１は、図１５に示すように、無線タグリーダ５５２を備えている。この無線タグリーダ５５２は、ＰＯＳ端末３０２のベース部や各部品に取り付けられた無線タグに無線通信によりアクセスし無線タグに対してデータ読み取り動作を実行する。
【００９０】
そして、本実施の形態のＰＯＳ端末管理データベース１０１の作成方法でのデータの取得方法としては、無線タグリーダ５５２により無線タグに記憶されている製造番号や部品番号を読み取ることにより実行される。
【００９１】
このように、本実施の形態においては、部品に付された部品識別データである部品番号は、部品に取り付けられた無線タグに記憶されており、データ取得装置５０１は、無線タグとの無線通信により部品番号を取得することにより、ＰＯＳ端末管理データベース１０１への製造番号や部品番号の入力作業を簡単にすることができる。
【００９２】
次に、本実施の形態のＰＯＳ端末管理データベース１０１の作成方法の第一の変形例を説明する。本変形例では、ＰＯＳ端末管理データベース１０１の作成において、ＰＯＳ端末３０２の組み立て完了後に、無線タグリーダ５５２をＰＯＳ端末３０２に近づけて、無線タグリーダ５５２によりＰＯＳ端末３０２内の全ての無線タグのデータ（ＰＯＳ端末３０２の製造番号、各部品の部品番号）を読み取り（取得ステップ）、ＰＯＳ端末管理データベース１０１を作成する。このとき、部品は階層構造でＰＯＳ端末管理データベース１０１に記憶させる（記憶ステップ）。このときは、部品番号に部品の親子関係を特定するデータを含ませておき、そのデータをデータベースサーバ２０１のメモリ部２０６の番号識別ファイルに記憶させておくことにより、部品番号を階層構造で関連付けすることが可能となる。
【００９３】
これにより、ＰＯＳ端末管理データベース１０１への製造番号や部品番号の入力作業をさらに簡単にすることができる。
【００９４】
このように本実施の形態においては、部品は、階層構造で分類可能であり、記憶ステップは、取得ステップで取得した部品識別データである部品番号を階層構造でデータベースであるＰＯＳ端末管理データベース１０１に記憶させることにより、部品番号を階層構造で管理することができ、ＰＯＳ端末管理データベース１０１を使い易くすることができる。
【００９５】
［第三の実施の形態］
次に、本発明の第三の実施の形態を図１６及び図１７に基づいて説明する。ここで、図１６は本実施の形態のＰＯＳ端末を概略的に示すブロック図、図１７はデータ取得装置を概略的に示すブロック図である。
【００９６】
本実施の形態は、図１６に示すように、第二の実施の形態と異なり、ＰＯＳ端末３５１の筐体（図示せず）の内部に無線タグリーダ３５２が設けられており、図１７に示すように、データ取得装置５６０には、無線タグリーダ３５２と無線でデータの送受信が可能な無線通信器５６１が設けられている。
【００９７】
そして、データ取得装置５６０において構成部品検索命令をキーボード５０６などにより入力すると、無線通信器５６１によりＰＯＳ端末３０２の無線タグリーダ３５２に対して無線タグ検索信号が出力され、その無線タグ検索信号を受信した無線タグリーダ３５２がＰＯＳ端末３０２内の全ての無線タグのデータを読み取る。無線タグリーダ３５２は、読み取った無線タグのデータをデータ取得装置５６０に出力する。これにより、データ取得装置５６０においてＰＯＳ端末３５１の製造番号や各部品の部品番号が取得され、それらのデータがデータ取得装置５６０からデータベースサーバ２０１に送信され、データベースサーバ２０１においてＰＯＳ端末管理データベース１０１が作成される。これにより、ＰＯＳ端末管理データベース１０１への製造番号や部品番号の入力作業をさらに簡単にすることができる。
【００９８】
【発明の効果】
本発明によれば、電子装置を構成する部品に付されたその部品の識別のための部品識別データをデータ取得装置により取得する取得ステップと、前記取得ステップで取得した前記部品識別データを指定された前記装置識別データに関連付けしてデータベースに記憶させる記憶ステップと、を含むことにより、データ取得装置により取得された部品識別データが、指定された装置識別データに関連付けされてデータベースに記憶されデータベースが作成されるので、データベースの作成を簡略化することができる。
【図面の簡単な説明】
【図１】本発明の第一の実施の形態のＰＯＳ端末管理システムを概略的に示すブロック図である。
【図２】ＰＯＳ端末を概略的に示すブロック図である。
【図３】端末稼働状況データファイルを示す模式図である。
【図４】ストアコンピュータを概略的に示すブロック図である。
【図５】データベースサーバを概略的に示すブロックである。
【図６】ＰＯＳ端末管理データベースの階層構造を概略的に示す模式図である。
【図７】ＰＯＳ端末管理データベースの端末管理テーブルを概略的に示す模式図である。
【図８】制御ブロックに関する部品管理テーブルを概略的に示す模式図である。
【図９】プリンタブロックに関する部品管理テーブルを概略的に示す模式図である。
【図１０】表示ブロックに関する部品管理テーブルを概略的に示す模式図である。
【図１１】データ取得端末を概略的に示すブロック図である。
【図１２】ＰＯＳ端末における処理の流れを示すフローチャートである。
【図１３】データベースサーバにおける処理の流れを示すフローチャートである。
【図１４】端末管理データベース作成処理の流れを示すフローチャートである。
【図１５】本発明の第二の実施の形態のデータ取得装置を概略的に示すブロック図である。
【図１６】本発明の第三の実施の形態のＰＯＳ端末を概略的に示すブロック図である。
【図１７】データ取得装置を概略的に示すブロック図である。
【符号の説明】
１０１…ＰＯＳ端末管理データベース（データベース）、３０２…ＰＯＳ端末（電子装置）、５０１…データ取得装置、５５１…データ取得装置、５６０…データ取得装置
【図１】
2004157715.tif 000003
【図２】
2004157715.tif 000004
【図３】
2004157715.tif 000005
【図４】
2004157715.tif 000006
【図５】
2004157715.tif 000007
【図６】
2004157715.tif 000008
【図７】
2004157715.tif 000009
【図８】
2004157715.tif 000010
【図９】
2004157715.tif 000011
【図１０】
2004157715.tif 000012
【図１１】
2004157715.tif 000013
【図１２】
2004157715.tif 000014
【図１３】
2004157715.tif 000015
【図１４】
2004157715.tif 000016
【図１５】
2004157715.tif 000017
【図１６】
2004157715.tif 000018
【図１７】
2004157715.tif 000019